(57)【要約】【課題】ケーブルドラムにケーブルの巻き始め端を短時間で固定できるケーブル端末ドラム固定具を提供する。【解決手段】ケーブルドラム２にケーブル３を巻き付けるべく、ケーブル３の巻き始め端４をケーブルドラム２に固定するためのケーブル端末ドラム固定具１において、ケーブルドラム２に取り付けられる固定用フレーム７と、固定用フレーム７に回動自在に設けられ巻き始め端４を挟持すべく半径方向に突出する突出歯部１７を有する一対の固定歯８と、一対の固定歯８を同期して回動するための一対の同期歯車９と、一対の固定歯８の突出歯部１７同士が対向するように固定歯８の回動位置を保持するバネ１０とを備えたものである。【選択図】図１
2015196585.tif 000002
【特許請求の範囲】
【請求項１】
ケーブルドラムにケーブルを巻き付けるべく、前記ケーブルの巻き始め端を前記ケーブルドラムに固定するためのケーブル端末ドラム固定具において、
前記ケーブルドラムに取り付けられる固定用フレームと、前記固定用フレームに回動自在に設けられると共に前記巻き始め端を挟持すべく回動で挟持間隔が拡縮自在にされた一対の固定歯と、前記一対の固定歯を同期して回動するための一対の同期歯車と、前記一対の固定歯の挟持間隔が最小となるように前記固定歯の回動位置を保持するバネとを備えたことを特徴とするケーブル端末ドラム固定具。
【発明の詳細な説明】
【技術分野】
【０００１】
本発明は、ケーブルの巻き始め端をケーブルドラムに固定するケーブル端末ドラム固定具に関するものである。
【背景技術】
【０００２】
ケーブルドラムにケーブルを巻き付けるべく、ケーブルの巻き始め端をケーブルドラムに固定する場合、ケーブルドラムの鍔、巻胴等に形成した開口部にケーブルの巻き始め端を通してケーブルドラム外に出し、ケーブルドラム外に出たケーブルの巻き始め端を、ケーブルドラムに直接縛ったり、別の紐などを用いてケーブルドラムに縛ったりしてケーブルドラムに固定していた。
【先行技術文献】
【特許文献】
【０００３】
【特許文献１】特開２００１−３５４３６２号公報
【発明の概要】
【発明が解決しようとする課題】
【０００４】
ところで、ケーブルドラムにケーブルの巻き始め端を固定する作業は、ケーブルドラムの正面からケーブルの巻き始め端をケーブルドラムの開口部に通した後、側面に回って開口部に通したケーブルの巻き始め端をケーブルドラムに固定するものとなるため、時間がかかるという課題があった。
【課題を解決するための手段】
【０００５】
上述の目的を達成するため、本発明は、ケーブルドラムにケーブルを巻き付けるべく、前記ケーブルの巻き始め端を前記ケーブルドラムに固定するためのケーブル端末ドラム固定具において、前記ケーブルドラムに取り付けられる固定用フレームと、前記固定用フレームに回動自在に設けられると共に前記巻き始め端を挟持すべく回動で挟持間隔が拡縮自在にされた一対の固定歯と、前記一対の固定歯を同期して回動するための一対の同期歯車と、前記一対の固定歯の挟持間隔が最小となるように前記固定歯の回動位置を保持するバネとを備えたものである。
【発明の効果】
【０００６】
本発明のケーブル端末ドラム固定具によれば、ケーブルドラムにケーブルの巻き始め端を短時間で固定できる。
【図面の簡単な説明】
【０００７】
【図１】本発明の一実施の形態に係るケーブル端末ドラム固定具の側面図である。
【図２】図１のＡ−Ａ線矢視図である。
【図３】ケーブルドラムに取り付けたケーブル端末ドラム固定具の側面図である。
【発明を実施するための形態】
【０００８】
以下、本発明の好適な実施の形態を添付図面にしたがって説明する。
【０００９】
図３に示すように、ケーブル端末ドラム固定具１は、ケーブルドラム２にケーブル３の巻き始め端４を固定するものであり、ケーブルドラム２の巻胴２ａの内周面に取り付けられる。
【００１０】
また、ケーブルドラム２には、ケーブル３の巻き始め端４をケーブル端末ドラム固定具１に案内するための端末出し部５が設けられている。端末出し部５は、ケーブル端末ドラム固定具１よりもケーブル巻き方向側の巻胴２ａに形成され径方向に貫通する開口（図示せず）と、巻胴２ａの内周面に径方向内方に突出して設けられ巻胴２ａの径方向外方から開口に挿通されたケーブル３の巻き始め端４をガイドするガイド部６とを備える。ガイド部６は、巻胴２ａの周方向に円弧状に延びると共にケーブル端末ドラム固定具１側が巻胴２ａの内周面から径方向内方に離間するように傾斜されている。これにより、開口に挿入されたケーブル３の巻き始め端４がケーブル端末ドラム固定具１に案内されると共に、巻胴２ａの外周側のケーブル３が巻き方向に向くようになっている。
【００１１】
図１及び図２に示すように、ケーブル端末ドラム固定具１は、ケーブルドラム２に取り付けられる固定用フレーム７と、固定用フレーム７に回動自在に設けられケーブル３の巻き始め端４を挟持するための一対の固定歯８と、一対の固定歯８を同期して回動するための一対の同期歯車９と、固定歯８の回動位置を保持するためのバネ１０とを備える。
【００１２】
固定用フレーム７は、金属板をプレス成型等により屈曲して形成される。固定用フレーム７は、基部１１と、基部１１の左右両側に略直角に屈曲して接続された一対の屈曲部１２と、これら一対の屈曲部１２の先端に略直角に屈曲して接続され基部１１と対向する一対の対向部１３とを備える。一方の屈曲部１２は、巻胴２ａの内周面に取り付けられる。また、対向部１３間には、後述する固定歯８を露出してケーブル３の巻き始め端４の固定を容易にするための間隙１４が形成されている。間隙１４に臨む対向部１３には、ケーブル３の挿入方向前方に向かうにつれて対向部１３間の間隔が狭まるように傾斜する傾斜部１５が形成されている。傾斜部１５は左右の対向部１３に左右対称に形成されている。傾斜部１５を目視することにより、ケーブル３の巻き始め端４の挿入方向が感覚的に把握できるようになっている。また、固定用フレーム７には、後述する固定歯８及び同期歯車９を軸支するためのシャフト１６が一対平行に設けられている。具体的には、シャフト１６は、それぞれの対向部１３と基部１１との間に掛け渡して設けられている。
【００１３】
固定歯８は、ブロック状に形成され、シャフト１６に回動自在に支持される。固定歯８は、シャフト１６の軸方向の寸法（厚さ）Ｄがケーブル３の直径φよりも大きく形成されている。また、固定歯８は、巻き始め端を挟持すべく回動で挟持間隔が拡縮自在にされている。具体的には、固定歯８は、ケーブル３の巻き始め端４を挟むべく他の部分より半径方向に突出する突出歯部１７を有する。突出歯部１７は、先端がシャフト１６に対して偏心した円弧状に形成されると共に、表面に微少な凹凸が複数形成されている。また、左右の固定歯８は、左右対称に形成されており、突出歯部１７の最も大径な大径部１８同士が対向し、大径部１８より小径の突出歯部１７間にケーブル３の入口が形成されるようになっている。すなわち、突出歯部１７は、対向する突出歯部１７の間隔が入口側に向かうにつれて八の字状に開く形状に形成されている。また、左右の固定歯８の大径部１８同士の間隔Ｇは、ケーブル３の直径φよりも小さく設定されている。
【００１４】
同期歯車９は、それぞれの固定歯８に一体に設けられると共に、中心がシャフト１６に回動自在に支持される。具体的には、同期歯車９は、固定歯８と固定用フレーム７の基部１１との間に配置されており、固定歯８の基部１１側の側面に一体に取り付けられている。また、左右の同期歯車９は互いに噛合されており、一対の固定歯８の姿勢を常に左右対称に保つようになっている。
【００１５】
バネ１０は、トーションバネ（ねじりコイルバネ）からなり、シャフト１６の外周に巻かれたコイル部１９と、コイル部１９の両端から接線方向に延びる一対の腕部２０、２１とを備える。一方の腕部２０は先端が固定用フレーム７の屈曲部１２に固定されており、他方の腕部２１は、先端が同期歯車９に係止されている。具体的には、バネ１０は、固定用フレーム７の基部１１と同期歯車９との間に配置されており、他方の腕部２１は、先端が同期歯車９側に屈曲されると共に同期歯車９に形成された軸方向の穴２２に回動可能に挿入されている。バネ１０は、固定歯８の挟持間隔が最小となるように、すなわち、固定歯８の大径部１８同士が対向するように同期歯車９の回動位置を保持すると共に、同期歯車９の回動に追従して弾性変形するようになっている。
【００１６】
次に本実施の形態の作用を述べる。
【００１７】
巻胴２ａの外周側から端末出し部５の開口にケーブル３の巻き始め端４を挿入すると、巻き始め端４が、端末出し部５のガイド部６に当接し、ケーブル端末ドラム固定具１の入口に案内される。
【００１８】
この後、ケーブル３を開口内に更に押し込むと、ケーブル３の巻き始め端４が固定歯８の突出歯部１７を押し、固定歯８がバネ１０の弾発力に抗して回動する。このとき、突出歯部１７は、入口側が開いているため、たとえ巻き始め端４が一方の固定歯８に片当たりしていた場合であっても固定歯８間の中央に案内される。また、巻き始め端４から一方の固定歯８に伝わった力は、同期歯車９を介して他方の固定歯８にも伝わり、双方の固定歯８が同期して回動される。これにより、固定歯８間の間隔が確実に開くと共に左右の固定歯８が対称に開き、巻き始め端４が固定歯８間にスムーズに挿入される。
【００１９】
このようにして巻き始め端４が固定歯８間に至ると、固定歯８は、バネ１０の復帰方向の付勢力で回動して巻き始め端４を左右から挟み込み、巻き始め端４を固定する。
【００２０】
この後、巻胴２ａの外周にケーブル３を巻き付ける。このとき、巻き始め端４にはケーブル端末ドラム固定具１から引き抜く方向の力が作用するが、突出歯部１７には微少な凹凸が複数形成されており、固定歯８にはケーブル３の引き抜き方向の力が作用するため、固定歯８はケーブル挿入時とは反対方向に微少回動し、大径部１８が巻き始め端４に食い込む。このため、ケーブル３がケーブル端末ドラム固定具１から抜けることはない。
【００２１】
このように、ケーブル端末ドラム固定具１が、ケーブルドラム２に取り付けられる固定用フレーム７と、固定用フレーム７に回動自在に設けられると共に巻き始め端４を挟持すべく回動で挟持間隔が拡縮自在にされた一対の固定歯８と、一対の固定歯８を同期して回動するための一対の同期歯車９と、一対の固定歯８の挟持間隔が最小となるように固定歯８の回動位置を保持するバネ１０とを備えるものとしたため、ケーブル端末ドラム固定具１にケーブル３の巻き始め端４を挿入するだけの簡単な作業で巻き始め端４を固定でき、ケーブルドラム２に巻き始め端４を短時間で固定できる。
【００２２】
なお、バネ１０は、同期歯車９と固定用フレーム７の基部１１との間に配置されるものとしたが、固定歯８と固定用フレーム７の対向部１３との間に配置されるものとしてもよい。この場合、バネ１０の他方の腕部２１は、固定歯８に係止されるとよい。また、バネ１０は、固定歯８の姿勢を保持できるものであればトーションバネ以外のバネであってもよい。
【００２３】
また、ケーブル端末ドラム固定具１は、ケーブルドラム２の鍔部２ｂ（図３参照）に取り付けられてもよい。この場合、端末出し部５は鍔部２ｂに設けられるとよい。
【符号の説明】
【００２４】
１  ケーブル端末ドラム固定具
２  ケーブルドラム
３  ケーブル
４  巻き始め端
７  固定用フレーム
８  固定歯
９  同期歯車
１０  バネ
【図１】
2015196585.tif 000003
【図２】
2015196585.tif 000004
【図３】
2015196585.tif 000005